(57)【要約】  設定操作取得部（227）は、ユーザの操作に応じて端末装置（3）から送られる、住居内における部屋の指定と当該部屋における環境設定とを規定した環境設定情報を取得する。機器選定部（228）は、設定操作取得部（227）が取得した環境設定情報と、対応情報ＤＢ（213）の対応情報と、機器情報ＤＢ（212）の機器情報とに基づいて、電気機器（4）のうち制御対象となる電気機器（4）を選定する。制御内容決定部（229）は、機器選定部（228）により選定された電気機器（4）についての制御内容を、設定操作取得部（227）が取得した環境設定情報と、環境制御情報ＤＢ（214）の環境制御情報とに基づいて決定する。指令部（230）は、制御内容決定部（229）により決定された制御内容を、機器選定部（228）が選定した電気機器（4）に指令する。
2015159395.tif 000002
【特許請求の範囲】
【請求項１】
住居内に設置された複数の電気機器、及び、ユーザにより操作される端末装置と、ネットワークを介して接続されたコントローラであって、
ユーザの操作に応じて前記端末装置から送られる、住居内における部屋の指定と当該部屋における環境設定とを規定した環境設定情報を取得する取得手段と、
前記取得手段が取得した環境設定情報と、前記電気機器と設置された部屋とを対応付ける対応情報と、前記電気機器の機器情報とに基づいて、前記電気機器のうち制御対象となる電気機器を選定する選定手段と、
前記選定手段により選定された前記電気機器についての制御内容を、前記取得手段が取得した環境設定情報と、環境設定に応じて定められた環境制御情報とに基づいて決定する決定手段とを備え、
前記決定手段により決定された制御内容を、前記選定手段が選定した前記電気機器に送信するコントローラ。
【請求項２】
前記選定手段は、ユーザに指定された部屋に設置された前記電気機器に加え、連携可能となる他の部屋に設置された前記電気機器も選定する、請求項１に記載のコントローラ。
【請求項３】
部屋を指定した環境設定をユーザに操作させるための設定画面であって、各部屋に設置された前記電気機器の違いによらずに標準化した前記設定画面を生成する設定画面生成手段を更に備え、
前記設定画面生成手段は、設定できない環境設定の項目を、設定できる項目とは異なる表現にて表示する、請求項１に記載のコントローラ。
【請求項４】
前記取得手段は、住居全体における室内環境の設定を規定した環境設定情報を取得し、
前記選定手段は、部屋毎に規定された優先度に基づいて、環境制御の対象とすべき部屋を選択した後に、当該選択した部屋に設置された前記電気機器のうち制御対象となる電気機器を選定する、請求項１に記載のコントローラ。
【請求項５】
前記取得手段は、前記端末装置から部屋を指定した生活シーンを取得した場合に、当該生活シーンに応じた環境設定を特定し、
前記選定手段は、前記取得手段によって特定された環境設定と、前記対応情報と、前記機器情報とに基づいて、前記電気機器のうち制御対象となる電気機器を選定する、請求項１に記載のコントローラ。
【請求項６】
住居内に設置された複数の電気機器と、コントローラと、端末装置とがネットワークを介して接続されたホームシステムであって、
前記コントローラは、
ユーザの操作に応じて前記端末装置から送られる、住居内における部屋の指定と当該部屋における環境設定とを規定した環境設定情報を取得する取得手段と、
前記取得手段が取得した環境設定情報と、前記電気機器と設置された部屋とを対応付ける対応情報と、前記電気機器の機器情報とに基づいて、前記電気機器のうち制御対象となる電気機器を選定する選定手段と、
前記選定手段により選定された前記電気機器についての制御内容を、前記取得手段が取得した環境設定情報と、環境設定に応じて定められた環境制御情報とに基づいて決定する決定手段とを備え、
前記決定手段により決定された制御内容を、前記選定手段が選定した前記電気機器に送信するホームシステム。
【請求項７】
住居内に設置された複数の電気機器、及び、ユーザにより操作される端末装置と、ネットワークを介して接続されたコントローラにおける環境制御方法であって、
ユーザの操作に応じて前記端末装置から送られる、住居内における部屋の指定と当該部屋における環境設定とを規定した環境設定情報を取得する取得ステップと、
前記取得ステップにて取得した前記環境設定情報と、前記電気機器と設置された部屋とを対応付ける対応情報と、前記電気機器の機器情報とに基づいて、前記電気機器のうち制御対象となる電気機器を選定する選定ステップと、
前記選定ステップにて選定された前記電気機器についての制御内容を、前記取得ステップにて取得した環境設定情報と、環境設定に応じて定められた環境制御情報とに基づいて決定する決定ステップとを備え、
前記決定ステップにて決定された制御内容を、前記選定ステップにて選定された前記電気機器に送信する環境制御方法。
【請求項８】
住居内に設置された複数の電気機器、及び、ユーザにより操作される端末装置と、ネットワークを介して接続されたコンピュータを、
ユーザの操作に応じて前記端末装置から送られる、住居内における部屋の指定と当該部屋における環境設定とを規定した環境設定情報を取得する取得手段、
前記取得手段が取得した環境設定情報と、前記電気機器と設置された部屋とを対応付ける対応情報と、前記電気機器の機器情報とに基づいて、前記電気機器のうち制御対象となる電気機器を選定する選定手段、
前記選定手段により選定された前記電気機器についての制御内容を、前記取得手段が取得した環境設定情報と、環境設定に応じて定められた環境制御情報とに基づいて決定する決定手段として機能させ、
前記決定手段により決定された制御内容を、前記選定手段が選定した前記電気機器に送信させるプログラム。
【発明の詳細な説明】
【技術分野】
【０００１】
本発明は、簡易な操作で、室内環境を適切に制御することのできるコントローラ、ホームシステム、環境制御方法、及び、プログラムに関する。
【背景技術】
【０００２】
近年、一般家庭において、種々の電気機器を同じ通信規格で接続したホームシステムが普及している。このホームシステムでは、例えば、エアコン，照明機器，炊飯器，ＩＨ調理器，除湿機などの電気機器が通信可能に接続され、各電気機器の管理（モニタリングや制御）が行えるようになっている。そして、ユーザは、各電気機器の管理を適切に行うことで、室内環境を制御することができる。【０００３】
このような室内環境を制御する先行技術として、例えば、特許文献１には、室内にいるユーザの声を音声認識した結果や、人感センサによる室内の検出結果等から、室内環境を制するシステムが開示されている。
【先行技術文献】
【特許文献】
【０００４】
【特許文献１】特開２００３−３３７８６６号公報
【発明の概要】
【発明が解決しようとする課題】
【０００５】
上述した特許文献１のシステムや、従来のホームシステムでは、室内環境を制御するために、まず、ユーザが、実際に部屋に設置されている電気機器の全てを把握しておく必要があった。その上で、ユーザが各電気機器を個別に操作する必要があるため、ユーザの負担が大きかった。また、ユーザの操作ミスや操作漏れが生じやすく、室内環境を適切に制御できない場合もあった。【０００６】
本発明は、上記のような問題点を解決するためになされたもので、簡易な操作で、室内環境を適切に制御することのできるコントローラ、ホームシステム、環境制御方法、及び、プログラムを提供することを目的とする。
【課題を解決するための手段】
【０００７】
上記目的を達成するために、本発明に係るコントローラは、
住居内に設置された複数の電気機器、及び、ユーザにより操作される端末装置と、ネットワークを介して接続されたコントローラであって、
ユーザの操作に応じて前記端末装置から送られる、住居内における部屋の指定と当該部屋における環境設定とを規定した環境設定情報を取得する取得手段と、
前記取得手段が取得した環境設定情報と、前記電気機器と設置された部屋とを対応付ける対応情報と、前記電気機器の機器情報とに基づいて、前記電気機器のうち制御対象となる電気機器を選定する選定手段と、
前記選定手段により選定された前記電気機器についての制御内容を、前記取得手段が取得した環境設定情報と、環境設定に応じて定められた環境制御情報とに基づいて決定する決定手段とを備え、
前記決定手段により決定された制御内容を、前記選定手段が選定した前記電気機器に送信する。
【発明の効果】
【０００８】
本発明によれば、ユーザが住居内の部屋を指定し、その部屋における室内環境の設定を端末装置から操作するだけで、コントローラは、制御対象となる電気機器を選定し、選定した電気機器についての制御内容を決定して、指令を発するため、簡易な操作で、室内環境を適切に制御することができる。
【図面の簡単な説明】
【０００９】
【図１】本発明の実施形態に係るホームシステムの全体構成の一例を示すブロック図である。
【図２】住居内の各部屋に設置された電気機器の具体例を示す模式図である。
【図３】本発明の実施形態１に係るコントローラの構成の一例を示すブロック図である。
【図４】間取り情報ＤＢの一例を示す模式図である。
【図５】機器情報ＤＢの一例を示す模式図である。
【図６】対応情報ＤＢの一例を示す模式図である。
【図７】環境制御情報ＤＢの一例を示す模式図である。
【図８】計測情報ＤＢの一例を示す模式図である。
【図９】対応付け画面の一例を示す模式図である。
【図１０】室内環境モニタ画面の一例を示す模式図である。
【図１１】環境設定画面の一例を示す模式図である。
【図１２】一部がグレーアウト表示される環境設定画面の一例を示す模式図である。
【図１３】室内環境モニタ画面上にポップアップ表示される環境設定画面の様子を説明するための模式図である。
【図１４】機器操作画面の一例を示す模式図である。
【図１５】本発明の実施形態に係る端末装置の一例を示すブロック図である。
【図１６】本発明の実施形態に係る電気機器の一例を示すブロック図である。
【図１７】本発明の実施形態に係る情報収集処理の一例を示すフローチャートである。
【図１８】本発明の実施形態に係る環境制御処理の一例を示すフローチャートである。
【図１９Ａ】異なる部屋の換気扇同士が通気ダクトで接続された様子を説明するための模式図である。
【図１９Ｂ】異なる部屋の換気扇同士が通気ダクトで接続された様子を説明するための模式図である。
【図２０】本発明の実施形態２に係るコントローラの構成の一例を示すブロック図である。
【図２１】生活シーン情報の一例を示す模式図である。
【図２２】生活シーン選択画面の一例を示す模式図である。
【発明を実施するための形態】
【００１０】
以下、本発明の実施形態について、図面を参照しながら詳細に説明する。その際、図中同一または相当部分には同一符号を付す。
【００１１】
図１は、本発明の実施形態に係るホームシステム１の全体構成の一例を示す模式図である。このホームシステム１は、ユーザが端末装置３を操作して、住居Ｈ内の各部屋（又は、家全体）についての室内環境を制御するためのシステムである。ホームシステム１は、コントローラ２と、端末装置３と、複数の電気機器４と、複数のセンサ５とを備えている。このうち、コントローラ２、各電気機器４、及び、各センサ５は、宅内ネットワーク９を介して通信可能に接続されており、また、コントローラ２と端末装置３とは、無線ＬＡＮなどで通信可能に接続されている。
【００１２】
住居Ｈ内には、複数の部屋が設けられており、各電気機器４や各センサ５がそれぞれの部屋に適宜設置されている。具体例を挙げて説明すると、図２に示すように、住居Ｈ内には、部屋Ｒ１〜Ｒ７が設けられている。
【００１３】
部屋Ｒ１は、子供部屋として用いられ、照明４ａ、エアコン４ｂ、及び、テレビ４ｃが設置されている。また、部屋Ｒ２は、書斎として用いられ、同様に、照明４ａ、エアコン４ｂ、及び、テレビ４ｃが設置されている。
【００１４】
部屋Ｒ３は、寝室として用いられ、照明４ａ、エアコン４ｂ、換気扇４ｄ、及び、加湿器４ｅが設置されている。また、部屋Ｒ４は、浴室として用いられ、照明４ａ、及び、換気扇４ｄが設置されている。更に、部屋Ｒ５は、クローゼットとして用いられ、同様に、照明４ａ、及び、換気扇４ｄが設置されている。
【００１５】
部屋Ｒ６は、ダイニングキッチンとして用いられ、照明４ａ、エアコン４ｂ、換気扇４ｄ、ＩＨ調理器４ｆ、及び、冷蔵庫４ｇが設置されている。そして、部屋Ｒ７は、リビングとして用いられ、２つの照明４ａ、２つのエアコン４ｂ、テレビ４ｃ、空気清浄機４ｈ、及び、床暖房４ｉが設置されている。
【００１６】
なお、図２では省略しているが、各センサ５も各部屋Ｒ１〜Ｒ７に適宜設置されている。また、コントローラ２は、例えば、部屋Ｒ７に設置されている。また、端末装置３は、持ち運び自由であり、各部屋Ｒ１〜Ｒ７の何れかで使用される。
【００１７】
このような住居Ｈ内の間取り（部屋Ｒ１〜Ｒ７の構成）や、各部屋Ｒ１〜Ｒ７における電気機器４等の設置（機器構成）は、一例であり、ユーザ毎に異なる住居Ｈ内の間取りや機器構成に応じて、適宜変更可能である。
【００１８】
図１に戻って、コントローラ２は、ホームシステム１全体を制御する装置である。コントローラ２は、端末装置３と通信を行い、必要な情報を送受信する。また、コントローラ２は、各家電機器４や各センサ５から情報を収集し、また、各家電機器４を制御する。
【００１９】
このコントローラ２の構成の一例について、以下、図３を参照して説明する。図３は、本発明の実施形態１に係るコントローラ２の構成の一例を示すブロック図である。図示するように、コントローラ２は、データ記憶部２１と、制御部２２と、通信部２３とを備える。
【００２０】
データ記憶部２１は、いわゆる二次記憶装置（補助記憶装置）としての役割を担い、例えば、フラッシュメモリなどの読み書き可能な不揮発性の半導体メモリなどで構成される。データ記憶部２１は、以下に説明する間取り情報ＤＢ（データベース）２１１、機器情報ＤＢ２１２、対応情報ＤＢ２１３、環境制御情報ＤＢ２１４、及び、計測情報ＤＢ２１５を記憶する。この他にもデータ記憶部２１は、制御部２２が実行するプログラムなどを記憶する。
【００２１】
まず、間取り情報ＤＢ２１１について、図４を参照して説明する。図４は、間取り情報ＤＢ２１１の一例を示す模式図である。この間取り情報ＤＢ２１１は、住居Ｈ内に設けられた各部屋（具体的には、図２に示す部屋Ｒ１〜Ｒ７）に関する情報である。図示するように、間取り情報ＤＢ２１１には、部屋の識別番号、部屋がある階数、部屋の名称、及び、優先度などが記憶される。この優先度は、後述するように、環境設定時に、家全体が指定された際に、各部屋の環境制御をどのように順序づけて行うかを規定するための値である。そのため、例えば、経済性や快適性などに基づいて、ユーザによって適宜規定される。なお、時間帯（電気料金の単価が異なる時間帯など）や、カレンダー機能（スケジュール機能）に基づく各種イベント（人の在・不在など）に基づいて、自動的に変更されるようにしてもよい。
【００２２】
次に、機器情報ＤＢ２１２について、図５を参照して説明する。図５は、機器情報ＤＢ２１２の一例を示す模式図である。この機器情報ＤＢ２１２は、各電気機器４に関する機器情報である。図示するように、機器情報ＤＢ２１２には、機器の識別番号、機器のタイプ、アドレス、稼働状態、設定状態（温度設定値や、風量設定値、湿度設定値など）、及び、エラー発生状態などが記憶される。この稼働状態、設定状態、及び、エラー発生状態は、制御部２２（より詳細には、後述する現在情報取得部２３３）によって、各電気機器４から定期的に取得された情報に基づいて更新される。また、機器情報ＤＢ２１２には、各電気機器４に応じた各種アイコン画像なども記憶されていてもよい。
【００２３】
次に、対応情報ＤＢ２１３について、図６を参照して説明する。図６は、対応情報ＤＢ２１３の一例を示す模式図である。この対応情報ＤＢ２１３は、部屋と電気機器４とを対応付ける情報である。図示するように、対応情報ＤＢ２１３には、部屋の識別番号、機器の識別番号、及び、機器の名称などが記憶される。なお、このような対応情報ＤＢ２１３は、制御部２２（より詳細には、後述する対応情報生成部２２３）によって、端末装置３のユーザ操作に従って、生成される。
【００２４】
次に、環境制御情報ＤＢ２１４について、図７を参照して説明する。図７は、環境制御情報ＤＢ２１４の一例を示す模式図である。この環境制御情報ＤＢ２１４は、室内の環境設定に応じて、各電気機器４（より詳細には、機器のタイプ）の制御内容を規定する情報である。図示するように、環境制御情報ＤＢ２１４には、環境設定、機器のタイプ、及び、環境制御情報などが記憶される。なお、図７の環境制御情報ＤＢ２１４は、理解を容易にするために簡略化して示しているが、実際には、環境設定を基に、数式やパラメータなどによって環境制御情報が得られるようになっている。例えば、現在の環境測定値と指示された環境設定値との差（変化量）から、数式やパラメータなどを用いて、環境制御情報が得られる。このような環境制御情報ＤＢ２１４は、制御部２２（より詳細には、後述する環境制御情報生成部２２４）によって生成される。
【００２５】
最後に、計測情報ＤＢ２１５について、図８を参照して説明する。図８は、計測情報ＤＢ２１５の一例を示す模式図である。この計測情報ＤＢ２１５は、各センサ５や各電気機器４（計測機能がある機器）にて計測された環境計測値を部屋ごとに集計した情報である。図示するように、計測情報ＤＢ２１５には、部屋の識別番号、温度、湿度、照度、及び、ＣＯ２濃度などが記憶される。これら温度、湿度、照度、及び、ＣＯ２濃度は、制御部２２（より詳細には、後述する現在情報取得部２３３）によって、各センサ５等から定期的に取得された環境計測値に基づいて適宜更新される。なお、温度、湿度、照度、及び、ＣＯ２濃度といった環境計測値は、一例であり、適宜変更可能である。例えば、換気量などを環境計測値に追加してもよい。
【００２６】
図３に戻って、制御部２２は、ＣＰＵ（Central Processing Unit），ＲＯＭ（Read Only Memory），ＲＡＭ（Random Access Memory）など（何れも図示せず）を備え、コントローラ２全体を制御する。制御部２２は、機能的には、対応付け画面生成部２２１と、対応付け取得部２２２と、対応情報生成部２２３と、環境制御情報生成部２２４と、環境モニタ画面生成部２２５と、環境設定画面生成部２２６と、設定操作取得部２２７と、機器選定部２２８と、制御内容決定部２２９と、指令部２３０と、機器操作画面生成部２３１と、機器操作取得部２３２と、現在情報取得部２３３とを備える。これらの機能は、ＣＰＵが、ＲＡＭをワークメモリとして用い、ＲＯＭやデータ記憶部２１に記憶されている各種プログラムを適宜実行することにより実現される。
【００２７】
対応付け画面生成部２２１は、住居Ｈ内の各部屋と各電気機器４とを対応付けるための対応付け画面を生成する。例えば、対応付け画面生成部２２１は、図９に示すような対応付け画面Ｐ１を生成する。具体的に、対応付け画面生成部２２１は、まず、上述した図４に示す間取り情報ＤＢ２１１に基づいて、各部屋が配列された住居ＨのレイアウトＬを生成する。そして、対応付け画面生成部２２１は、上述した図５に示す機器情報ＤＢ２１２に基づいて、各電気機器４のアイコンＩｃを生成し、レイアウトＬの周りに並べる。対応付け画面生成部２２１は、このようにして生成した対応付け画面Ｐ１を、通信部２３を制御して、端末装置３に送信する。
【００２８】
図３に戻って、対応付け取得部２２２は、通信部２３を介して得られる、端末装置３におけるユーザ操作に従って、部屋と電気機器４との対応付けを取得する。例えば、対応付け取得部２２２は、上述した図９に示す対応付け画面Ｐ１が表示された端末装置３において、ユーザがアイコンＩｃをレイアウトＬ内（何れかの部屋内）に、ドラッグアンドドロップすることで、部屋と電気機器４との対応付けを取得する。
【００２９】
対応情報生成部２２３は、対応付け取得部２２２が取得した部屋と電気機器４との対応付けに基づいて、対応情報を生成（更新）する。対応情報生成部２２３は、生成した対応情報を対応情報ＤＢ２１３に記憶する。つまり、対応情報生成部２２３は、上述した図６に示すような対応情報ＤＢ２１３を構築する。
【００３０】
環境制御情報生成部２２４は、室内の環境設定に応じて、各電気機器４（より詳細には、機器のタイプ）の制御内容を規定する情報を生成する。例えば、環境制御情報生成部２２４は、ユーザの操作に従って、環境設定に対する機器のタイプに応じた環境制御情報を生成する。つまり、環境制御情報生成部２２４は、上述した図７に示すような環境制御情報ＤＢ２１４を構築する。なお、上述したように、図７の環境制御情報ＤＢ２１４は、理解を容易にするために簡略化して示しており、実際には、例えば、現在の環境測定値と指示された環境設定値との差（変化量）から、数式やパラメータなどを用いて、環境制御情報が得られるようになっている。そのため、環境制御情報生成部２２４は、例えば、ユーザの操作に従って、これら数式やパラメータなどを生成してもよい。
【００３１】
環境モニタ画面生成部２２５は、住居Ｈ内の各部屋における環境測定値を提示するための画面を生成する。例えば、環境モニタ画面生成部２２５は、図１０に示すような室内環境モニタ画面Ｐ２を生成する。環境モニタ画面生成部２２５は、上述した図８に示す計測情報ＤＢ２１５に基づいて、各部屋Ｒ１〜Ｒ７の環境測定値を表示した室内環境モニタ画面Ｐ２を生成する。各部屋Ｒ１〜Ｒ７には、それぞれ、温度Ｄ１、湿度Ｄ２、照度Ｄ３、及び、ＣＯ２濃度Ｄ４からなる環境測定値が表示される。なお、温度Ｄ１〜ＣＯ２濃度Ｄ４といった環境計測値は、一例であり、適宜変更可能である。例えば、換気量などを環境計測値に加えてもよい。
【００３２】
このような室内環境モニタ画面Ｐ２において、部屋Ｒ１〜Ｒ７のうち、何れかの部屋がユーザによって選択可能であり、後述するように、任意の部屋の環境設定操作が行える様になっている。また、室内環境モニタ画面Ｐ２には、家全体ボタンＢｔ１も配置されている。この家全体ボタンＢｔ１は、住居Ｈ全体の環境設定操作を行う際に、ユーザに押下される。つまり、ユーザは、部屋Ｒ１〜Ｒ７のうちの何れかを指定した部屋単位の環境設定操作だけでなく、住居Ｈ全体の環境設定操作が行えるようになっている。環境モニタ画面生成部２２５は、このような室内環境モニタ画面Ｐ２を、通信部２３を制御して、端末装置３に送信する。
【００３３】
図３に戻って、環境設定画面生成部２２６は、住居Ｈ内の何れかの部屋（若しくは、家全体）における環境設定をユーザに操作させるための画面を生成する。例えば、上述した図１０の室内環境モニタ画面Ｐ２が表示された端末装置３において、ユーザが環境設定のために、部屋Ｒ７（リビング）を指定した場合に、環境設定画面生成部２２６は、図１１に示すような環境設定画面Ｐ３を生成する。この環境設定画面Ｐ３には、現在の環境計測値（温度Ｄ１〜ＣＯ２濃度Ｄ４）と、ユーザが設定する環境設定値（温度Ｓ１〜ＣＯ２濃度Ｓ４）とが表示される。なお、温度Ｄ１〜ＣＯ２濃度Ｄ４といった環境計測値や、温度Ｓ１〜ＣＯ２濃度Ｓ４といった環境設定値は、一例であり、適宜変更可能である。例えば、換気量などを環境計測値や環境設定値に加えてもよい。
【００３４】
このような環境設定画面Ｐ３には、環境設定値（温度Ｓ１〜ＣＯ２濃度Ｓ４）の値を変更するためのアップボタンＵＢｔ、及び、ダウンボタンＤＢｔがそれぞれ配置されている。アップボタンＵＢｔは、環境設定値を増加させる際に、ユーザに押下され、一方、ダウンボタンＤＢｔは、環境設定値を減少させる際に、押下される。また、環境設定画面Ｐ３には、環境設定操作をキャンセルするためのキャンセルボタンＢｔ２、及び、環境設定操作を決定させるための決定ボタンＢｔ３も配置されている。つまり、ユーザは、アップボタンＵＢｔやダウンボタンＤＢｔを押下して、環境設定値（温度Ｓ１〜ＣＯ２濃度Ｓ４）を任意に変化させた後に、決定ボタンＢｔ３を押下して、その環境設定値を決定させる。
【００３５】
この他にも、環境設定画面生成部２２６は、上述した図１０の室内環境モニタ画面Ｐ２が表示された端末装置３において、ユーザが例えば、部屋Ｒ４（浴室）を指定した場合に、図１２に示すような環境設定画面Ｐ４を生成する。この環境設定画面Ｐ４では、環境設定値における温度Ｓ１（及び、対応するアップボタンＵＢｔ，ダウンボタンＤＢｔ）が、一例として、薄い灰色にてグレーアウト表示されている。これは、部屋Ｒ４において、温度を変化させるための電気機器４（例えば、エアコン４ｂ）が設置されていないためである。つまり、環境設定値のうち、温度Ｓ１が設定できないことをユーザに報知している。なお、このようなグレーアウト表示は、一例であり、他の表現（他の表示形態）でもよい。例えば、テキストと背景の色を入れ替えた反転表示などで、温度Ｓ１等を表示してもよい。つまり、環境設定画面生成部２２６は、設定できない環境設定の項目を、設定できる項目とは異なる表現にて表示する。
【００３６】
このように、環境設定画面生成部２２６は、各部屋Ｒ１〜Ｒ７に設置された電気機器４の違い（機器構成の違い）によらずに、標準化（統一化）した環境設定画面Ｐ３，Ｐ４等を生成する。その際、その部屋で設定できない環境設定値については、グレーアウト等の異なる表現にて表示している。これにより、部屋の機器構成によらず、ユーザインタフェースを標準化し、ユーザの操作性や視認性を向上させることができる。また、環境設定画面生成部２２６は、上述した図１０の室内環境モニタ画面Ｐ２にて、家全体ボタンＢｔ１がユーザに押下された場合に、住居Ｈ全体についての環境設定画面を同様に生成する。
【００３７】
環境設定画面生成部２２６は、このようにして生成した環境設定画面Ｐ３，Ｐ４等を、通信部２３を制御して、端末装置３に送信する。その際、端末装置３は、室内環境モニタ画面Ｐ２上に、環境設定画面Ｐ３，Ｐ４等をポップアップ表示させる。例えば、端末装置３は、図１３に示すように、室内環境モニタ画面Ｐ２上に、環境設定画面Ｐ３をポップアップ表示させる。この図１３は、室内環境モニタ画面Ｐ２における部屋Ｒ７（リビング）がユーザに指定されて、環境設定操作が行われる場合を示している。
【００３８】
図３に戻って、設定操作取得部２２７は、通信部２３を介して、端末装置３におけるユーザの環境設定操作を取得する。例えば、設定操作取得部２２７は、上述した図１１，１２に示す環境設定画面Ｐ３，Ｐ４等が表示された端末装置３において、ユーザによるアップボタンＵＢｔやダウンボタンＤＢｔの押下によって設定され、決定ボタンＢｔ３の押下によって確定された環境設定値（温度Ｓ１〜ＣＯ２濃度Ｓ４）を取得する。より詳細に、設定操作取得部２２７は、指定された部屋と、環境計測値と、環境設定値とを取得する。環境計測値は、環境設定値の変化量、つまり、環境計測値を基準とした環境設定値の変化量を求める際に用いられる。
【００３９】
機器選定部２２８は、設定操作取得部２２７が取得した環境設定操作に応じて、制御対象となる電気機器４を選定する。例えば、機器選定部２２８は、取得した環境設定操作（指定された部屋）と、上述した図６に示す対応情報ＤＢ２１３と、上述した図５に示す機器情報ＤＢ２１２とに基づいて、制御対象となる電気機器４を選定する。具体的に、まず、機器選定部２２８は、ユーザに指定された部屋に設置されている電気機器４を、対応情報ＤＢ２１３を参照して特定する。次に、機器選定部２２８は、機器情報ＤＢ２１２を参照し、機器のタイプなどから、その部屋の環境制御が行える電気機器４を選定する。
【００４０】
なお、環境設定操作において住居Ｈ全体（家全体）が指定されている場合に、機器選定部２２８は、上述した図４に示す間取り情報ＤＢ２１１の優先度に基づいて、環境制御対象の部屋を選んだ上で、その部屋の環境制御が行える電気機器４を選定する。なお、上述したように、各部屋の優先度は、例えば、経済性や快適性などに基づいて適宜規定されている。そのため、経済性や快適性などに基づいて、選択された部屋の電気機器４（環境制御が行える電気機器４）が選定される。
【００４１】
制御内容決定部２２９は、機器選定部２２８によって選定された電気機器４についての制御内容を決定する。例えば、制御内容決定部２２９は、設定操作取得部２２７が取得した環境設定操作（環境計測値に基づいた環境設定値の変更値）と、上述した図７に示す環境制御情報ＤＢ２１４とに基づいて、機器選定部２２８に選定された電気機器４についての制御内容を決定する。具体的に、制御内容決定部２２９は、環境計測値を基準とした環境設定値の変化量（環境計測値と環境設定値との差）を基に、環境制御情報ＤＢ２１４を参照し、機器のタイプ（機器選定部２２８に選定された電気機器４に合致するもの）に応じた環境制御情報を決定する。なお、上述したように、図７の環境制御情報ＤＢ２１４は、理解を容易にするために簡略化して示しており、実際に制御内容決定部２２９は、例えば、現在の環境測定値と指示された環境設定値との差（変化量）から、数式やパラメータなどを用いて、環境制御情報を決定する。
【００４２】
指令部２３０は、制御内容決定部２２９により決定された制御内容を、機器選定部２２８が選定した電気機器４に指令（送信）する。つまり、指令部２３０は、通信部２３を介して、対象の電気機器４に環境制御のための指令を発する。また、ユーザが端末装置３にて、電気機器４を直接制御するための操作（以下に説明する機器操作画面による操作）を行った場合に、指令部２３０は、ユーザの操作に従って、対象の電気機器４に制御を指令する。
【００４３】
機器操作画面生成部２３１は、ユーザが何れかの部屋における何れかの電気機器４を直接制御するための画面を生成する。例えば、機器操作画面生成部２３１は、図１４に示すような機器操作画面Ｐ５を生成する。機器操作画面生成部２３１は、上述した図４に示す間取り情報ＤＢ２１１と、上述した図５に示す機器情報ＤＢ２１２と、上述した図６に示す対応情報ＤＢ２１３とに基づいて、各部屋Ｒ１〜Ｒ７に設置される電気機器４の名称を表示した機器操作画面Ｐ５を生成する。ユーザは、部屋Ｒ１〜Ｒ７に設置される各電気機器４を確認して、目的の部屋における目的の電気機器４を指定して、直接制御が行える様になっている。機器操作画面生成部２３１は、このような機器操作画面Ｐ５を、通信部２３を制御して、端末装置３に送信する。
【００４４】
機器操作取得部２３２は、通信部２３を介して、端末装置３におけるユーザの機器操作を取得する。例えば、機器操作取得部２３２は、上述した図１４に示す機器操作画面Ｐ５が表示された端末装置３において、ユーザによる任意の部屋における任意の電気機器４が指定されて、操作指示がなされた際に、その機器操作を取得する。また、上述したように、指令部２３０は、機器操作取得部２３２が取得した機器操作に従って、対象の電気機器４に制御を指令する。
【００４５】
現在情報取得部２３３は、通信部２３を介して、各センサ５が計測した環境計測値を定期的に取得する。また、現在情報取得部２３３は、通信部２３を介して、各電気機器４の運転状況（稼働状態、設定状態、及び、エラー発生状態等）を定期的に取得する。そして、現在情報取得部２３３は、各電気機器４の運転状況を取得する度に、上述した図５に示す機器情報ＤＢ２１２の稼働状態、設定状態、及び、エラー発生状態等を更新する。なお、電気機器４が計測機能を有している場合に、現在情報取得部２３３は、その電気機器４が計測した環境計測値も定期的に取得する。現在情報取得部２３３は、各センサ５等から環境計測値を取得する度に、上述した図８に示す計測情報ＤＢ２１５を更新する。その際、部屋毎に、環境計測値が集計されて計測情報ＤＢ２１５が更新されるが、以下の点も考慮される。
【００４６】
例えば、センサ５や計測機能を有する電気機器４が、同じ部屋に複数設置されている場合では、現在情報取得部２３３は、センサ５や計測機能を有する電気機器４の設置位置と共に、環境計測値を、計測情報ＤＢ２１５に記憶（更新）してもよい。そして、上述した環境モニタ画面生成部２２５が、室内環境モニタ画面を生成する際に、環境計測値の分布を含めて表示してもよい。また、センサ５や計測機能を有する電気機器４が、同じ部屋に複数設置されている場合に、現在情報取得部２３３は、各環境計測値を平均化して、計測情報ＤＢ２１５に更新してもよい。更に、環境計測値に、特異値（異常値）が含まれている場合には、計測情報ＤＢ２１５に更新しないようにしてもよく、また、更新しても、室内環境モニタ画面の生成に用いないようにしてもよい。
【００４７】
通信部２３は、例えば、宅内ネットワーク９に接続用のインタフェースや、Ｗｉ−Ｆｉ（登録商標）の規格に準拠した無線ＬＡＮ接続用のインタフェースを備え、制御部２２の制御の下、端末装置３、各電気機器４、及び、各センサ５とデータ通信を行う。
【００４８】
図１に戻って、端末装置３は、例えば、タブレット端末やスマートフォンなどの携帯端末であり、ユーザによって使用される。この端末装置３の構成の一例について、以下、図１５のブロック図を参照して説明する。図示するように、端末装置３は、通信部３１と、表示部３２と、入力部３３と、データ記憶部３４と、制御部３５と、を備える。
【００４９】
通信部３１は、例えば、Ｗｉ−Ｆｉ（登録商標）の規格に準拠した無線ＬＡＮ接続用のインタフェースを備え、制御部３５の制御の下、コントローラ３とデータ通信を行う。
【００５０】
表示部３２は、液晶パネルなどを備え、制御部３５の制御の下、種々の画面などを表示する。具体的に表示部３２は、一例として、上述した図９に示す対応付け画面Ｐ１、上述した図１０に示す室内環境モニタ画面Ｐ２、上述した図１１，１２に示す環境設定画面Ｐ３，Ｐ４、及び、上述した図１４に示す機器操作画面Ｐ５などを表示する。
【００５１】
入力部３３は、タッチパネル、タッチパッドなどから構成され、ユーザからの操作入力を受け付ける処理を行う。例えば、入力部３３としてタッチパネルを採用する場合、静電容量の変化を検出する透明な平板状の静電容量センサが、液晶表示器に重ねて実装される。この静電容量センサにより、ユーザの指先や専用のペンなどによるタッチ面（ユーザにとっては液晶表示器の表示画面）の接触（押圧）が検出されると、その位置の情報（座標データ）が制御部３５に出力される。制御部３５は、その位置情報に基づいて、ユーザの操作内容を判別する。ユーザが入力部３３を介して入力操作を行うと、その操作内容に応じた信号が制御部３５に出力される。
【００５２】
データ記憶部３４は、いわゆる二次記憶装置（補助記憶装置）としての役割を担い、例えば、フラッシュメモリなどの読み書き可能な不揮発性の半導体メモリなどで構成される。データ記憶部３４は、コントローラ２にて生成され、通信部３１を通じて受信した各種画面（上述した対応付け画面Ｐ１〜機器操作画面Ｐ５など）のデータを一時的に記憶する。この他にもデータ記憶部３４は、制御部３５が実行するプログラムなどを記憶する。
【００５３】
制御部３５は、ＣＰＵ，ＲＯＭ，ＲＡＭなど（何れも図示せず）を備え、端末装置３全体を制御する。制御部３５は、機能的には、画面表示処理部３５１を備える。この機能は、ＣＰＵが、ＲＡＭをワークメモリとして用い、ＲＯＭやデータ記憶部３４に記憶されている各種プログラムを適宜実行することにより実現される。
【００５４】
画面表示処理部３５１は、通信部３１を通じて、コントローラ２から送られた各種画面（上述した対応付け画面Ｐ１〜機器操作画面Ｐ５など）を、表示部３２に表示する。また、画面表示処理部３５１は、表示部３２に表示した画面の項目（例えば、各種ボタンなど）に対するユーザからの操作を入力部３３から受け付けると、操作情報を生成して、通信部３１を通じて、コントローラ２に送信する。
【００５５】
図１に戻って、複数の電気機器４は、住居Ｈ内の各部屋で使用される各種電化製品である。例えば、上述した図２に示すように、照明４ａ、エアコン４ｂ、テレビ４ｃ、換気扇４ｄ、加湿器４ｅ、ＩＨ調理器４ｆ、冷蔵庫４ｇ、空気清浄機４ｈ、及び、床暖房４ｉが、各部屋Ｒ１〜Ｒ７に適宜設置されている。このような電気機器４の構成の一例について、以下、図１６のブロック図を参照して説明する。図示するように、電気機器４は、通信部４１と、データ記憶部４２と、主機能部４３と、制御部４４と、を備える。
【００５６】
通信部４１は、例えば、宅内ネットワーク９接続用の通信アダプタであり、制御部４４の制御の下、宅内ネットワーク９を介して、コントローラ３とデータ通信を行う。なお、通信部４１を、着脱可能な外付けの通信アダプタで構成してもよい。
【００５７】
データ記憶部４２は、いわゆる二次記憶装置（補助記憶装置）としての役割を担い、例えば、フラッシュメモリなどの読み書き可能な不揮発性の半導体メモリなどで構成される。データ記憶部４２は、制御部４４が実行するプログラムや、各種のデータを記憶する。
【００５８】
主機能部４３は、電気機器４本来の機能（例えば、エアコン４ａであれば冷房、暖房、及び、除湿などの空調機能、冷蔵庫４ｇであれば冷凍・冷蔵機能など）を実現するための構成であり、制御部４４により制御される。
【００５９】
制御部４４は、ＣＰＵ、ＲＡＭ、ＲＯＭなど（何れも図示せず）を備え、上述した各部を制御する。制御部４４は、機能的には、情報通知処理部４４１と、制御実行部４４２とを備える。これらの機能は、ＣＰＵが、ＲＡＭをワークメモリとして用い、ＲＯＭやデータ記憶部４２に記憶されている各種プログラムを適宜実行することにより実現される。
【００６０】
情報通知処理部４４１は、電気機器４の運転状況（稼働状態、設定状態、及び、エラー発生状態等）を、通信部４１を通じて、コントローラ２に定期的に通知（送信）する。また、電気機器４が計測機能を有している場合に、情報通知処理部４４１は、計測した環境計測値もコントローラ２に定期的に通知する。
【００６１】
制御実行部４４２は、コントローラ２における上述した指令部２３０の指令に基づいた制御を、主機能部４３に実行させる。つまり、制御実行部４４２は、コントローラ２から発せられた指令（制御信号など）に応じた処理を主機能部４３に実行させる。
【００６２】
図１に戻って、各センサ５は、温度、湿度、照度、及び、ＣＯ２濃度などの何れかを計測する各種センサ機器であり、住居Ｈ内の各部屋に適宜設置される。各センサ５は、計測した環境計測値を、通信部を介して、コントローラ２に定期的に送信する。なお、各センサ５は、温度、湿度、照度、及び、ＣＯ２濃度などのうち、複数の環境計測値を計測する複合センサ機器であってもよい。
【００６３】
以下、このような構成のホームシステム１の動作について、図１７，１８を参照して説明する。図１７は、本発明の実施形態に係る情報収集処理の一例を示すフローチャートである。また、図１８は、本発明の実施形態に係る環境制御処理の一例を示すフローチャートである。
【００６４】
最初に、図１７に示す情報収集処理を説明する。この情報収集処理は、コントローラ２が、各センサ５や各電気機器４から情報を収集するための処理であり、定期的に繰り返し実行される。
【００６５】
まず、コントローラ２は、各センサ５から、計測情報を取得する（ステップＳ５０１）。つまり、現在情報取得部２３３は、通信部２３を介して、各センサ５が計測した環境計測値を取得する。
【００６６】
コントローラ２は、各電気機器４から、機器状態情報や計測情報を取得する（ステップＳ５０２）。つまり、現在情報取得部２３３は、通信部２３を介して、各電気機器４の運転状況（稼働状態、設定状態、及び、エラー発生状態等）を取得する。なお、電気機器４が計測機能を有している場合に、現在情報取得部２３３は、その電気機器４が計測した環境計測値も取得する。
【００６７】
コントローラ２は、計測情報ＤＢ２１５、及び、機器情報ＤＢ２１２を更新する（ステップＳ５０３）。つまり、現在情報取得部２３３は、各電気機器４の運転状況を取得すると、上述した図５に示す機器情報ＤＢ２１２の稼働状態、設定状態、及び、エラー発生状態等を更新する。また、現在情報取得部２３３は、各センサ５や各電気機器４（計測機能を有する機器）から環境計測値を取得すると、上述した図８に示す計測情報ＤＢ２１５を更新する。
【００６８】
続いて、図１８に示す環境制御処理を説明する。この環境制御処理は、端末装置３からのユーザ操作に応じて、コントローラ２が、指定された部屋の環境制御等を行うための処理である。
【００６９】
まず、コントローラ２は、計測情報ＤＢ２１５に記憶されている各部屋の環境計測値を取得する（ステップＳ６０１）。つまり、環境モニタ画面生成部２２５は、上述した図１７に示す情報収集処理にて定期的に更新されている現在の環境計測値を、計測情報ＤＢ２１５から取得する。
【００７０】
コントローラ２は、室内環境モニタ画面を生成して、端末装置３に送信する（ステップＳ６０２）。例えば、環境モニタ画面生成部２２５は、上述した図１０に示す室内環境モニタ画面Ｐ２を生成し、通信部２３を通じて端末装置３に送信する。
【００７１】
コントローラ２は、端末装置３にてユーザからの操作が有ったか否かを判別する（ステップＳ６０３）。コントローラ２は、操作がなかったと判別すると（ステップＳ６０３；Ｎｏ）、上述したステップＳ６０１に処理を戻す。
【００７２】
一方、操作が有ったと判別した場合（ステップＳ６０３；Ｙｅｓ）に、コントローラ２は、環境設定要求が有ったか否かを判別する（ステップＳ６０４）。つまり、上述した図１０に示す室内環境モニタ画面Ｐ２において、ユーザから部屋Ｒ１〜Ｒ７のうち、何れかの部屋の指定（例えば、タッチ操作など）があった場合、又は、家全体ボタンＢｔ１が押下された場合に、コントローラ２は、環境設定要求が有ったと判別する。
【００７３】
コントローラ２は、環境設定要求が有ったと判別すると（ステップＳ６０４；Ｙｅｓ）、環境設定画面を生成して、端末装置３に送信する（ステップＳ６０５）。例えば、環境設定画面生成部２２６は、上述した図１１，１２に示すような環境設定画面Ｐ３，Ｐ４を生成し、通信部２３を通じて端末装置３に送信する。つまり、環境設定画面生成部２２６は、各部屋Ｒ１〜Ｒ７に設置された電気機器４の違い（機器構成の違い）によらずに、標準化した環境設定画面Ｐ３，Ｐ４等を生成する。その際、その部屋で制御できない環境設定値については、グレーアウト等の異なる表現にて表示している。これにより、部屋の機器構成によらず、ユーザインタフェースを標準化し、ユーザの操作性や視認性を向上させることができる。また、環境設定画面生成部２２６は、環境設定要求が住居Ｈ全体を指定したものである場合（上述した図１０の室内環境モニタ画面Ｐ２にて、家全体ボタンＢｔ１がユーザに押下された場合）に、住居Ｈ全体についての環境設定画面を同様に生成して、端末装置３に送信する。
【００７４】
コントローラ２は、環境設定の変更が確定されたかどうかを判別する（ステップＳ６０６）。つまり、設定操作取得部２２７は、上述した図１１，１２に示す環境設定画面Ｐ３，Ｐ４等が表示された端末装置３において、ユーザによるアップボタンＵＢｔやダウンボタンＤＢｔの押下によって設定され、決定ボタンＢｔ３が押下された場合に、環境設定の変更が確定されたと判別する。コントローラ２は、環境設定の変更が確定されていないと判別すると（ステップＳ６０６；Ｎｏ）、そのまま待機する。
【００７５】
一方、環境設定の変更が確定されたと判別した場合（ステップＳ６０６；Ｙｅｓ）に、コントローラ２は、対象機器を選定する（ステップＳ６０７）。つまり、機器選定部２２８は、設定操作取得部２２７が取得した環境設定操作に応じて、制御対象となる電気機器４を選定する。例えば、設定操作取得部２２７は、取得した環境設定操作（指定された部屋）と、上述した図６に示す対応情報ＤＢ２１３と、上述した図５に示す機器情報ＤＢ２１２とに基づいて、制御対象となる電気機器４を選定する。なお、環境設定操作において住居Ｈ全体（家全体）が指定されている場合に、機器選定部２２８は、上述した図４に示す間取り情報ＤＢ２１１の優先度に基づいて、環境制御対象の部屋を選んだ上で、その部屋の環境制御が行える電気機器４を選定する。
【００７６】
コントローラ２は、制御内容を決定する（ステップＳ６０８）。つまり、制御内容決定部２２９は、機器選定部２２８によって選定された電気機器４についての制御内容を決定する。例えば、制御内容決定部２２９は、設定操作取得部２２７が取得した環境設定操作（環境設定値）と、上述した図７に示す環境制御情報ＤＢ２１４とに基づいて、機器選定部２２８に選定された電気機器４についての制御内容を決定する。そして、コントローラ２は、後述するステップＳ６１１に処理を進める。
【００７７】
また、上述したステップＳ６０４にて、環境設定要求がなかった（この例の場合、機器操作要求があった）と判別した場合（ステップＳ６０４；Ｎｏ）に、コントローラ２は、機器操作画面を生成して端末装置３に送信する（ステップＳ６０９）。例えば、機器操作画面生成部２３１は、上述した図１４に示す機器操作画面Ｐ５を生成して、端末装置３に送信する。
【００７８】
コントローラ２は、電気機器４への操作が有ったか否かを判別する（ステップＳ６１０）。つまり、機器操作取得部２３２は、上述した図１４に示す機器操作画面Ｐ５が表示された端末装置３において、ユーザによる任意の部屋における任意の電気機器４が指定されて、操作指示がなされた際に、電気機器４への操作が有ったと判別する。コントローラ２は、電気機器４への操作がないと判別すると（ステップＳ６１０；Ｎｏ）、そのまま待機する。
【００７９】
電気機器４への操作があったと判別した場合（ステップＳ６１０；Ｙｅｓ）、及び、上述したステップＳ６０８にて、制御内容を決定した後に、コントローラ２は、制御指令を対象機器に送信する（ステップＳ６１１）。つまり、指令部２３０は、通信部２３を介して、対象の電気機器４に指令を発する。例えば、上述したステップＳ６０８にて、制御内容を決定した後であれば、指令部２３０は、対象の電気機器４に環境制御のための指令を発する。また、上述したステップＳ６１０にて、電気機器４への操作があった場合には、指令部２３０は、その操作に従って、対象の電気機器４に制御を指令する。
【００８０】
以上説明したように、本発明の実施形態１に係るコントローラ２等によれば、簡易な操作で、室内環境を適切に制御することができる。つまり、ユーザが住居Ｈ内の部屋を指定し、その部屋における室内環境の設定を端末装置３から操作するだけで、コントローラ２は、制御対象となる電気機器４を選定し、選定した電気機器４についての制御内容を決定して、指令を発する。この結果、ユーザが指定した部屋を、どのような室内環境（温度、湿度、照度、及び、ＣＯ２濃度など）にしたいかという、直感的な要望を指示するだけで、実際に設置された電気機器４を何ら意識することなく（個別に操作することなく）、室内環境を適切に制御することができる。
【００８１】
上記の実施形態１に係るコントローラ２では、機器選定部２２８が、ユーザに指定された部屋に設置されている電気機器４（環境制御が行える電気機器４）を選定する場合について説明したが、電気機器４間の連携によって、ユーザに指定された部屋の環境制御が、他の部屋から行える電気機器４も選定するようにしてもよい。
【００８２】
例えば、換気扇４ｄなどは、他の部屋の換気扇４ｄと通気ダクトを通じて接続されている場合がある。具体的には、図１９Ａに示すように、部屋Ｒ３（寝室）の換気扇４ｄと、部屋Ｒ４（浴室）の換気扇４ｄとが、通気ダクトＤｕにて接続されている場合や、図１９Ｂに示すように、部屋Ｒ５（クローゼット）の換気扇４ｄと、部屋Ｒ６（ダイニングキッチン）の換気扇４ｄとが、通気ダクトＤｕにて接続されている場合などである。
【００８３】
このような場合、部屋Ｒ４，Ｒ５には、温度を変化させることできる電気機器４が設置されていないが、通気ダクトＤｕで接続された部屋Ｒ３，Ｒ６に、エアコン４ｂが設置されているため、部屋Ｒ３〜Ｒ６の換気扇４ｄを稼働させた上で、部屋Ｒ３，Ｒ６のエアコン４ｂを稼働させることで、部屋Ｒ４，Ｒ５の疑似空調（間接空調）を行うことができる。そのため、通気ダクトＤｕの接続情報などを、例えば、間取り情報ＤＢ２１１や、機器情報ＤＢ２１２に記憶して、図１９Ａや図１９Ｂに示すような部屋間のつながりを把握可能とすることで、例えば、上述した図１２の環境設定画面Ｐ４のグレーアウト表示が解消されて生成され、端末装置３に送信される。つまり、部屋Ｒ４（浴室）について、温度Ｓ１の環境設定値についても設定操作が行えるようになる。
【００８４】
このようなグレーアウト表示が解消された環境設定画面Ｐ４において、ユーザが、温度Ｓ１の環境設定値が変化させた場合に、機器選定部２２８は、部屋Ｒ４の換気扇４ｄだけでなく、通気ダクトＤｕで接続された部屋Ｒ３の換気扇４ｄ及びエアコン４ｂを選定する。そして、制御内容決定部２２９は、機器選定部２２８によって選定された部屋Ｒ４の換気扇４ｄと、部屋Ｒ３の換気扇４ｄ及びエアコン４ｂについての制御内容を決定する。
【００８５】
このように、異なる部屋の電気機器４を連携させることで、本来その部屋で行えないような環境制御を行うことができる。
【００８６】
上記の実施形態１に係るコントローラ２では、ユーザによる環境設定に基づいて、環境制御を行う場合について説明したが、ユーザが生活シーンを選択するようにし、それに基づいて、環境制御を行うようにしてもよい。以下、ユーザが選択した生活シーンに基づいて、環境制御を行うことを特徴とするコントローラ７について、図２０を参照して説明する。図２０は、本発明の実施形態２に係るコントローラ７の構成の一例を示すブロック図である。図示するように、コントローラ７は、データ記憶部７１と、制御部７２と、通信部２３とを備える。
【００８７】
データ記憶部７１は、いわゆる二次記憶装置（補助記憶装置）としての役割を担い、例えば、フラッシュメモリなどの読み書き可能な不揮発性の半導体メモリなどで構成される。データ記憶部７１は、間取り情報ＤＢ２１１、機器情報ＤＢ２１２、対応情報ＤＢ２１３、環境制御情報ＤＢ２１４、及び、計測情報ＤＢ２１５に加え、生活シーン情報ＤＢ７１６を記憶している点で、実施形態１に係るコントローラ２のデータ記憶部２１と異なっている。つまり、間取り情報ＤＢ２１１〜計測情報ＤＢ２１５は、上記の実施形態１に係るコントローラ２の構成と同様である。
【００８８】
生活シーン情報ＤＢ７１６について、図２１を参照して説明する。図２１は、生活シーン情報ＤＢ７１６の一例を示す模式図である。この生活シーン情報ＤＢ７１６は、生活シーンに応じた環境設定を規定する情報である。図示するように、生活シーン情報ＤＢ７１６には、生活シーン、及び、環境設定などが記憶される。生活シーンは、環境設定の上位概念とも言えるもので、例えば、保湿、除湿、花粉除去、焼き肉、及び、経済性などが上げられる。各生活シーンは、それぞれに環境設定が予め規定されて、生活シーン情報ＤＢ７１６に記憶されている。なお、ユーザが、生活シーンに対応する環境設定を変更したり、新たな生活シーンとそれに対応する環境設定を登録可能としてもよい。
【００８９】
図２０に戻って、制御部７２は、ＣＰＵ，ＲＯＭ，ＲＡＭなど（何れも図示せず）を備え、コントローラ７全体を制御する。制御部７２は、機能的には、対応付け画面生成部２２１と、対応付け取得部２２２と、対応情報生成部２２３と、環境制御情報生成部２２４と、環境モニタ画面生成部２２５と、環境設定画面生成部７２６と、設定操作取得部７２７と、機器選定部２２８と、制御内容決定部２２９と、指令部２３０と、機器操作画面生成部２３１と、機器操作取得部２３２と、現在情報取得部２３３とを備える。これらの機能は、ＣＰＵが、ＲＡＭをワークメモリとして用い、ＲＯＭやデータ記憶部７１に記憶されている各種プログラムを適宜実行することにより実現される。つまり、環境設定画面生成部７２６、及び、設定操作取得部７２７だけが、上記の実施形態１に係るコントローラ２の構成と異なり、他の構成は、同様である。
【００９０】
環境設定画面生成部７２６は、住居Ｈ内の何れかの部屋（若しくは、住居Ｈ全体）における生活シーンをユーザに選択させるための画面を生成する。環境設定画面生成部７２６は、図２２に示すような生活シーン選択画面Ｐ６を生成する。この生活シーン選択画面Ｐ６には、一例として、部屋Ｒ７（リビング）の各生活シーンを選択するための画面であり、保湿ボタンＢｔ４、除湿ボタンＢｔ５、花粉除去ボタンＢｔ６、焼き肉ボタンＢｔ７、及び、経済性ボタンＢｔ８が配置されている。環境設定画面生成部７２６は、このような生活シーン選択画面Ｐ６を、通信部２３を制御して、端末装置３に送信する。
【００９１】
設定操作取得部７２７は、通信部２３を介して、端末装置３におけるユーザの生活シーン選択操作を取得する。例えば、設定操作取得部７２７は、上述した図２２に示す生活シーン選択画面Ｐ６が表示された端末装置３において、ユーザによる何れかのボタン（保湿Ｂｔ４〜経済性Ｂｔ８の何れか）が押下されると、指定された部屋と、その部屋にて選択された生活シーンを取得する。
【００９２】
そして、設定操作取得部７２７は、上述した図２１に示す生活シーン情報ＤＢ７１６を参照して、選択された生活シーンに応じた環境設定を取得する。設定操作取得部７２７は、指定された部屋と、生活シーンに応じて取得した環境設定とを、機器選定部２２８に供給する。
【００９３】
機器選定部２２８は、上述した実施形態１に係るコントローラ２の構成と同様に、供給された環境設定等に応じて、制御対象となる電気機器４を選定する。例えば、機器選定部２２８は、指定された部屋と、上述した図６に示す対応情報ＤＢ２１３と、上述した図５に示す機器情報ＤＢ２１２とに基づいて、制御対象となる電気機器４を選定する。
【００９４】
また、制御内容決定部２２９は、上述した実施形態１に係るコントローラ２の構成と同様に、機器選定部２２８によって選定された電気機器４についての制御内容を決定する。例えば、制御内容決定部２２９は、取得した環境設定と、上述した図７に示す環境制御情報ＤＢ２１４とに基づいて、機器選定部２２８に選定された電気機器４についての制御内容を決定する。
【００９５】
そして、指令部２３０は、上述した実施形態１に係るコントローラ２の構成と同様に、制御内容決定部２２９により決定された制御内容を、機器選定部２２８が選定した電気機器４に指令する。つまり、指令部２３０は、通信部２３を介して、対象の電気機器４に環境制御のための指令を発する。
【００９６】
このように、本発明の実施形態２に係るコントローラ７等によれば、簡易な操作で、室内環境を適切に制御することができる。つまり、ユーザが住居Ｈ内の部屋を指定し、その部屋における生活シーンを選択するだけで、コントローラ７は、選択された生活シーンに応じた環境設定を取得し、制御対象となる電気機器４を選定し、選定した電気機器４についての制御内容を決定して、指令を発する。この結果、ユーザが指定した部屋を、どのような生活シーンで使用するかという、直感的な要望を指示するだけで、環境設定や実際に設置された電気機器４を何ら意識することなく、室内環境を適切に制御することができる。
【００９７】
上記の実施形態２に係るコントローラ７では、上述した図２２に示すような生活シーン選択画面Ｐ６を生成し、端末装置３に送信して、ユーザに選択させる場合について説明したが、カレンダー機能（スケジュール機能）によって、ユーザのスケジュールに合わせて、生活シーンをコントローラ７側で選択するようにしてもよい。
【００９８】
また、上記実施形態では、専用のコントローラ２等を用いる場合について説明したが、これらコントローラ２等の動作を規定する動作プログラムを既存のパーソナルコンピュータや情報端末機器などに適用することで、当該パーソナルコンピュータなどを本発明に係るコントローラ２等として機能させることも可能である。
【００９９】
また、このようなプログラムの配布方法は任意であり、例えば、ＣＤ−ＲＯＭ（Compact Disk Read-Only Memory）、ＤＶＤ（Digital Versatile Disk）、ＭＯ（Magneto Optical Disk）、メモリカードなどのコンピュータ読み取り可能な記録媒体に格納して配布してもよいし、インターネットなどの通信ネットワークを介して配布してもよい。
【０１００】
本発明は、広義の精神と範囲を逸脱することなく、様々な実施形態および変形が可能とされるものである。また、上述した実施形態は、本発明を説明するためのものであり、本発明の範囲を限定するものではない。つまり、本発明の範囲は、実施形態ではなく、請求の範囲によって示される。そして、請求の範囲内およびそれと同等の発明の意義の範囲内で施される様々な変形が、本発明の範囲内とみなされる。
【産業上の利用可能性】
【０１０１】
本発明は、簡易な操作で、室内環境を適切に制御することのできるコントローラ、ホームシステム、環境制御方法、及び、プログラムに採用され得る。
【符号の説明】
【０１０２】
１  ホームシステム、２，７  コントローラ、３  端末装置、４  電気機器、５  センサ、９  宅内ネットワーク、２１，３４，４２，７１  データ記憶部、２２，３５，４４，７２  制御部、２３，３１，４１  通信部、３２  表示部、３３  入力部、４３  主機能部
【図１】
2015159395.tif 000003
【図２】
2015159395.tif 000004
【図３】
2015159395.tif 000005
【図４】
2015159395.tif 000006
【図５】
2015159395.tif 000007
【図６】
2015159395.tif 000008
【図７】
2015159395.tif 000009
【図８】
2015159395.tif 000010
【図９】
2015159395.tif 000011
【図１０】
2015159395.tif 000012
【図１１】
2015159395.tif 000013
【図１２】
2015159395.tif 000014
【図１３】
2015159395.tif 000015
【図１４】
2015159395.tif 000016
【図１５】
2015159395.tif 000017
【図１６】
2015159395.tif 000018
【図１７】
2015159395.tif 000019
【図１８】
2015159395.tif 000020
【図１９Ａ】
2015159395.tif 000021
【図１９Ｂ】
2015159395.tif 000022
【図２０】
2015159395.tif 000023
【図２１】
2015159395.tif 000024
【図２２】
2015159395.tif 000025
【手続補正書】
【提出日】平成28年5月17日(2016.5.17)
【手続補正１】
【補正対象書類名】明細書
【補正対象項目名】０００７
【補正方法】変更
【補正の内容】
【０００７】
上記目的を達成するために、本発明に係るコントローラは、
住居内に設置された複数の電気機器、及び、ユーザにより操作される端末装置と、ネットワークを介して接続されたコントローラであって、
ユーザの操作に応じて前記端末装置から送られる、住居内における部屋の指定と当該部屋における環境設定とを規定した環境設定情報を取得する取得手段と、
前記取得手段が取得した環境設定情報と、前記電気機器と設置された部屋とを対応付ける対応情報と、前記電気機器の機器情報とに基づいて、前記電気機器のうち制御対象となる電気機器を選定する選定手段と、
前記選定手段により選定された前記電気機器についての制御内容を、前記取得手段が取得した環境設定情報と、環境設定に応じて定められた環境制御情報とに基づいて決定する決定手段とを備え、
前記選定手段は、ユーザに指定された部屋に設置された前記電気機器に加え、連携する他の部屋に設置された前記電気機器も選定し、
前記決定手段により決定された制御内容を、前記選定手段が選定した前記電気機器に送信する。
【手続補正２】
【補正対象書類名】特許請求の範囲
【補正対象項目名】全文
【補正方法】変更
【補正の内容】
【特許請求の範囲】
【請求項１】
住居内に設置された複数の電気機器、及び、ユーザにより操作される端末装置と、ネットワークを介して接続されたコントローラであって、
ユーザの操作に応じて前記端末装置から送られる、住居内における部屋の指定と当該部屋における環境設定とを規定した環境設定情報を取得する取得手段と、
前記取得手段が取得した環境設定情報と、前記電気機器と設置された部屋とを対応付ける対応情報と、前記電気機器の機器情報とに基づいて、前記電気機器のうち制御対象となる電気機器を選定する選定手段と、
前記選定手段により選定された前記電気機器についての制御内容を、前記取得手段が取得した環境設定情報と、環境設定に応じて定められた環境制御情報とに基づいて決定する決定手段とを備え、
前記選定手段は、ユーザに指定された部屋に設置された前記電気機器に加え、連携する他の部屋に設置された前記電気機器も選定し、
前記決定手段により決定された制御内容を、前記選定手段が選定した前記電気機器に送信するコントローラ。
【請求項２】
前記選定手段は、前記環境設定情報に規定された部屋における環境設定に寄与する他の部屋に設置された前記電気機器を、連携する前記電気機器として選定する、請求項１に記載のコントローラ。
【請求項３】
部屋を指定した環境設定をユーザに操作させるための設定画面であって、各部屋に設置された前記電気機器の違いによらずに標準化した前記設定画面を生成する設定画面生成手段を更に備え、
前記設定画面生成手段は、設定できない環境設定の項目を、設定できる項目とは異なる表現にて表示する、請求項１又は２に記載のコントローラ。
【請求項４】
前記取得手段は、住居全体における室内環境の設定を規定した環境設定情報を取得し、
前記選定手段は、部屋毎に規定された優先度に基づいて、環境制御の対象とすべき部屋を選択した後に、当該選択した部屋に設置された前記電気機器のうち制御対象となる電気機器を選定する、請求項１から３の何れか１項に記載のコントローラ。
【請求項５】
前記取得手段は、前記端末装置から部屋を指定した生活シーンを取得した場合に、当該生活シーンに応じた環境設定を特定し、
前記選定手段は、前記取得手段によって特定された環境設定と、前記対応情報と、前記機器情報とに基づいて、前記電気機器のうち制御対象となる電気機器を選定する、請求項１から４の何れか１項に記載のコントローラ。
【請求項６】
住居内に設置された複数の電気機器と、コントローラと、端末装置とがネットワークを介して接続されたホームシステムであって、
前記コントローラは、
ユーザの操作に応じて前記端末装置から送られる、住居内における部屋の指定と当該部屋における環境設定とを規定した環境設定情報を取得する取得手段と、
前記取得手段が取得した環境設定情報と、前記電気機器と設置された部屋とを対応付ける対応情報と、前記電気機器の機器情報とに基づいて、前記電気機器のうち制御対象となる電気機器を選定する選定手段と、
前記選定手段により選定された前記電気機器についての制御内容を、前記取得手段が取得した環境設定情報と、環境設定に応じて定められた環境制御情報とに基づいて決定する決定手段とを備え、
前記選定手段は、ユーザに指定された部屋に設置された前記電気機器に加え、連携する他の部屋に設置された前記電気機器も選定し、
前記決定手段により決定された制御内容を、前記選定手段が選定した前記電気機器に送信するホームシステム。
【請求項７】
住居内に設置された複数の電気機器、及び、ユーザにより操作される端末装置と、ネットワークを介して接続されたコントローラにおける環境制御方法であって、
ユーザの操作に応じて前記端末装置から送られる、住居内における部屋の指定と当該部屋における環境設定とを規定した環境設定情報を取得する取得ステップと、
前記取得ステップにて取得した前記環境設定情報と、前記電気機器と設置された部屋とを対応付ける対応情報と、前記電気機器の機器情報とに基づいて、前記電気機器のうち制御対象となる電気機器を選定する選定ステップと、
前記選定ステップにて選定された前記電気機器についての制御内容を、前記取得ステップにて取得した環境設定情報と、環境設定に応じて定められた環境制御情報とに基づいて決定する決定ステップとを備え、
前記選定ステップでは、ユーザに指定された部屋に設置された前記電気機器に加え、連携する他の部屋に設置された前記電気機器も選定し、
前記決定ステップにて決定された制御内容を、前記選定ステップにて選定された前記電気機器に送信する環境制御方法。
【請求項８】
住居内に設置された複数の電気機器、及び、ユーザにより操作される端末装置と、ネットワークを介して接続されたコンピュータを、
ユーザの操作に応じて前記端末装置から送られる、住居内における部屋の指定と当該部屋における環境設定とを規定した環境設定情報を取得する取得手段、
前記取得手段が取得した環境設定情報と、前記電気機器と設置された部屋とを対応付ける対応情報と、前記電気機器の機器情報とに基づいて、前記電気機器のうち制御対象となる電気機器を選定する選定手段、
前記選定手段により選定された前記電気機器についての制御内容を、前記取得手段が取得した環境設定情報と、環境設定に応じて定められた環境制御情報とに基づいて決定する決定手段として機能させ、
前記選定手段は、ユーザに指定された部屋に設置された前記電気機器に加え、連携する他の部屋に設置された前記電気機器も選定し、
前記決定手段により決定された制御内容を、前記選定手段が選定した前記電気機器に送信させるプログラム。
【国際調査報告】
2015159395.tif 000026
2015159395.tif 000027
2015159395.tif 000028
2015159395.tif 000029